(57)【特許請求の範囲】
【請求項１】
プラントを構成する機器の状態を示す複数種類のメッセージを収集するメッセージ収集処理部および前記メッセージ収集処理部が収集したメッセージを記憶媒体に保存するメッセージ保存処理部を有するサーバ計算機と、オペレータからのメッセージ出力要求に応じて当該メッセージを前記記憶媒体から取得し、これをオペレータが指定した出力機器に出力するメッセージ出力処理部を有するクライアント計算機を備え、
前記出力機器として印字情報スクロール機能を有する表示画面を備えたモニタを含むと共に、オペレータが出力要求することができる複数種類のメッセージとして、警報メッセージ、正常復帰メッセージ、自動化メッセージ、接点状態変化メッセージ、入力不良メッセージ、オペレータ操作メッセージ、およびスケジュール計算メッセージのいずれかまたは全てを含み、
前記メッセージ出力処理部は、オペレータが出力要求したメッセージを自動的に更新し最新の当該メッセージをまとめて前記モニタの前記表示画面にリアルタイムに表示するモニタ更新出力処理部を有することを特徴とするプラント監視制御装置。
【請求項２】
請求項１に記載のプラント監視制御装置であって、前記モニタの前記表示画面にはメニュー画面が表示され、前記メニュー画面には、メッセージ種別、設備種別、および出力機器についてそれぞれ複数の項目がオペレータにより選択可能な形態で設けられ、さらにオペレータが前記モニタ更新出力処理部に対して処理の実行を要求するための更新出力ボタンが設けられていることを特徴とするプラント監視制御装置。
【請求項３】
請求項２に記載のプラント監視制御装置であって、前記出力機器として、前記モニタの他にプリンタおよびＵＳＢメモリを含み、オペレータが前記メニュー画面で前記出力機器の項目の中から前記モニタを選択した場合にのみ、前記更新出力ボタンが選択可能となることを特徴とするプラント監視制御装置。
【請求項４】
請求項２に記載のプラント監視制御装置であって、前記モニタ更新出力処理部は、前記モニタの前記表示画面に表示されたメッセージの中からオペレータが任意のメッセージを選択すると、そのメッセージに関連するメッセージを前記モニタの個別メッセージ画面に表示することを特徴とするプラント監視制御装置。
【請求項５】
請求項２に記載のプラント監視制御装置であって、前記モニタ更新出力処理部は、オペレータが前記メニュー画面の前記メッセージ種別および前記設備種別の中から検索指標となる項目を選択し、且つ前記更新出力ボタンを選択すると、その検索指標に合致するメッセージを前記モニタのメッセージ表示画面に表示することを特徴とするプラント監視制御装置。
【請求項６】
請求項２に記載のプラント監視制御装置であって、前記モニタ更新出力処理部は、オペレータが前記メニュー画面の前記メッセージ種別および前記設備種別の中から検索指標となる項目を選択し、且つ前記更新出力ボタンを選択すると、その検索指標に合致するメッセージを、前記メニュー画面上にウィンドウ形式で表示することを特徴とするプラント監視制御装置。
【請求項７】
請求項６に記載のプラント監視制御装置であって、前記モニタ更新出力処理部は、オペレータが前記メニュー画面において検索指標となる項目を順次変更すると、それぞれの検索指標に合致するメッセージを、前記メニュー画面上に複数のウィンドウで表示することを特徴とするプラント監視制御装置。 
【発明の詳細な説明】
【技術分野】
【０００１】
本発明は、プラントを構成する機器の状態を示す複数種類のメッセージを、モニタ、プリンタ、およびＵＳＢメモリ等の出力機器に出力し、オペレータに通知するプラント監視制御装置に関する。
【背景技術】
【０００２】
従来のプラント監視制御装置は、原子力発電や火力発電プラントのようなプラントにおいて、プラントを構成する機器の状態を示す複数種類のメッセージ（例えば警報メッセージや自動化メッセージ）を収集し、モニタ、プリンタ、およびＵＳＢメモリ等の出力機器に出力していた。オペレータは、これらのメッセージから機器の状態を把握するとともに、プラントの不調や事故の際にどのような制御を行っていたか、どのような警報が発生していたか等の情報を得ていた。
【０００３】
例えば特許文献１では、プラントの運転に関するデータの処理結果をメッセージ情報として収集し、これに検索指標に基づく索引情報を付加して記憶媒体に保存し、オペレータが抽出要求すると、記憶媒体の索引領域に保存された索引情報に基づいて対応するメッセージ情報を抽出するようにしたプラント運転情報管理装置が提示されている。
【先行技術文献】
【特許文献】
【０００４】
【特許文献１】特開平５−２８２５７６号公報
【発明の概要】
【発明が解決しようとする課題】
【０００５】
上記のような従来のプラント監視制御装置では、プラントを構成する機器の状態を示す複数種類のメッセージを、メッセージの種類毎にモニタの個別画面に表示することが多かった。その際、画面には過去に発生したメッセージのみが表示されており、最新のメッセージを確認するためには、オペレータが随時あるいは定期的に最新のメッセージを出力要求する操作を行う必要があり、操作性および作業効率が悪いという問題があった。なお、特許文献１に示された例においても、最新のメッセージ情報をリアルタイムに表示する機能は有していなかった。
【０００６】
本発明は、上記のような課題を解決するためになされたもので、プラントを構成する機器の状態を示す最新のメッセージを、オペレータに負荷をかけることなくモニタに表示することができ、プラントの運転に関する情報を迅速に確認することが可能なプラント監視制御装置を提供することを目的とする。
【課題を解決するための手段】
【０００７】
本発明に係るプラント監視制御装置は、プラントを構成する機器の状態を示す複数種類のメッセージを収集するメッセージ収集処理部およびメッセージ収集処理部が収集したメッセージを記憶媒体に保存するメッセージ保存処理部を有するサーバ計算機と、オペレータからのメッセージ出力要求に応じて当該メッセージを記憶媒体から取得し、これをオペレータが指定した出力機器に出力するメッセージ出力処理部を有するクライアント計算機を備え、出力機器として印字情報スクロール機能を有する表示画面を備えたモニタを含むと共に、オペレータが出力要求することができる複数種類のメッセージとして、警報メッセージ、正常復帰メッセージ、自動化メッセージ、接点状態変化メッセージ、入力不良メッセージ、オペレータ操作メッセージ、およびスケジュール計算メッセージのいずれかまたは全てを含み、メッセージ出力処理部は、オペレータが出力要求したメッセージを自動的に更新し最新の当該メッセージをまとめてモニタの表示画面にリアルタイムに表示するモニタ更新出力処理部を有するものである。
【発明の効果】
【０００８】
本発明によれば、クライアント計算機のメッセージ出力処理部に、プラントを構成する機器の状態を示すメッセージを自動的に更新し最新の当該メッセージをモニタの表示画面にリアルタイムに表示するモニタ更新出力処理部を設けたので、オペレータに負荷をかけることなく最新のメッセージを常時モニタに表示することができ、プラントの運転に関する情報を迅速に確認することが可能なプラント監視制御装置を提供することができる。
【図面の簡単な説明】
【０００９】
【図１】本発明の実施の形態１に係るプラント監視制御装置の構成を示す概略図である。
【図２】本発明の実施の形態１に係るプラント監視制御装置および比較例におけるモニタの表示画面形態を説明する図である。
【図３】本発明の実施の形態１に係るプラント監視制御装置におけるメッセージ出力処理部の動作を説明する図である。
【図４】本発明の実施の形態１に係るプラント監視制御装置におけるモニタのメニュー画面を示す図である。
【図５】本発明の実施の形態１に係るプラント監視制御装置におけるモニタの更新出力表示画面を示す図である。
【図６】本発明の実施の形態２に係るプラント監視制御装置におけるモニタのメニュー画面を示す図である。
【図７】本発明の実施の形態２に係るプラント監視制御装置におけるモニタのメニュー画面を示す図である。
【図８】本発明の実施の形態３に係るプラント監視制御装置におけるモニタのメニュー画面を示す図である。
【図９】本発明の実施の形態３に係るプラント監視制御装置におけるモニタの更新出力表示画面を示す図である。
【図１０】本発明の実施の形態４に係るプラント監視制御装置におけるモニタの更新出力表示画面を示す図である。
【図１１】本発明の実施の形態４に係るプラント監視制御装置におけるモニタの個別メッセージ画面を示す図である。
【図１２】本発明の実施の形態５に係るプラント監視制御装置におけるモニタのメニュー画面を示す図である。
【図１３】本発明の実施の形態５に係るプラント監視制御装置におけるモニタのメニュー画面上に表示されたウィンドウを示す図である。
【図１４】本発明の実施の形態５に係るプラント監視制御装置におけるモニタのメニュー画面上に表示された複数のウィンドウを示す図である。
【発明を実施するための形態】
【００１０】
実施の形態１．
以下、本発明の実施の形態１について図面に基づいて説明する。図１は、本発明の実施の形態１に係るプラント監視制御装置の構成を示している。図１に示すように、本実施の形態１に係るプラント監視制御装置は、サーバ計算機１とクライアント計算機２から構成されている。サーバ計算機１は、プラントを構成する機器の状態を示す複数種類のメッセージを収集するメッセージ収集処理部３と、メッセージ収集処理部３が収集したメッセージを記憶媒体５ａに保存するメッセージ保存処理部４を有している。
【００１１】
記憶媒体５ａに保存される複数種類のメッセージには、警報メッセージ、正常復帰メッセージ、自動化メッセージ、接点状態変化メッセージ、入力不良メッセージ、オペレータ操作メッセージ、およびスケジュール計算メッセージのいずれかまたは全てが含まれている。オペレータは、これらのメッセージから機器の状態を把握するとともに、プラントの不調や事故の際にどのような制御を行っていたか、どのような警報が発生していたか等の情報を得ることができる。
【００１２】
また、クライアント計算機２は、オペレータからのメッセージ出力要求を受け付けるオペレータ要求処理部６と、オペレータからのメッセージ出力要求に応じた当該メッセージをサーバ計算機１の記憶媒体５ａから取得し、これをオペレータが指定した出力機器８に出力するメッセージ出力処理部７を有している。本実施の形態１では、出力機器８として少なくとも、印字情報スクロール機能を有する表示画面を備えたモニタ８ａと、プリンタ８ｂおよびＵＳＢメモリ８ｃを備えている。
【００１３】
メッセージ出力処理部７は、モニタ履歴出力処理部７１、モニタ更新出力処理部７２、プリンタ履歴出力処理部７３、およびＵＳＢメモリ履歴出力処理部７４を含んで構成される。このメッセージ出力処理部７は、オペレータ要求処理部６がオペレータからのメッセージ出力要求を受け付けると、サーバ計算機１の記録媒体５ａに保存している当該メッセージを取得し、オペレータに指定された出力機器８に対応した記憶媒体に格納した後、指定された出力機器８に出力する。
【００１４】
すなわち、指定された出力機器８がモニタ８ａの場合は、モニタ履歴出力処理部７１またはモニタ更新出力処理部７２により、記憶媒体５ｂ（例えばモニタ表示用バッファ）に格納されたメッセージをモニタ８ａに表示する。モニタ履歴出力処理部７１は、過去に発生した当該メッセージをモニタ８ａに表示するものであり、モニタ更新出力処理部７２は、当該メッセージを自動的に更新し、最新の当該メッセージをモニタ８ａにリアルタイムに表示するものである。
【００１５】
また、指定された出力機器８がプリンタ８ｂの場合は、プリンタ履歴出力処理部７３により、記憶媒体５ｃ（例えばプリンタ印字用バッファ）に格納されたメッセージをプリンタ８ｂに印字する。同様に、指定された出力機器８がＵＳＢメモリ８ｃの場合は、ＵＳＢメモリ履歴出力処理部７４により、記憶媒体５ｄ（例えばＵＳＢメモリ保存用バッファ）に格納されたメッセージをＵＳＢメモリ８ｃに保存する。なお、プリンタ８ｂに印字されるメッセージおよびＵＳＢメモリ８ｃに保存されるメッセージはいずれも、過去に発生したメッセージである。
【００１６】
次に、本実施の形態１におけるモニタ８ａの表示画面の形態について、図２を用いて説明する。図２（ａ）は比較例として従来のプラント監視制御装置におけるモニタの表示画面の形態を示し、図２（ｂ）は本実施の形態１に係るプラント監視制御装置におけるモニタ８ａの表示画面の形態を示している。図２（ａ）に示す比較例では、プラントを構成する機器の状態を示すメッセージを、メッセージ種別毎の個別画面１００、具体的には警報メッセージ画面１０１、正常復帰メッセージ画面１０２、自動化メッセージ画面１０３、接点状態変化メッセージ画面１０４、入力不良メッセージ画面１０５、オペレータ操作メッセージ画面１０６、スケジュール計算メッセージ画面１０７に表示している。
【００１７】
これに対し、本実施の形態１では、図２（ｂ）に示すように、印字情報スクロール機能を有するモニタ８ａの表示画面１０に、複数種類のメッセージをまとめて表示するものである。表示画面１０には、メニュー画面１１と、メッセージ表示画面である履歴出力表示画面１２および更新出力表示画面１３が相互に切り替えられて表示される。履歴出力表示画面１２は、モニタ履歴出力処理部７１による処理の実行の結果、すなわち過去に発生した当該メッセージを表示する画面である。また、更新出力表示画面１３は、モニタ更新出力処理部７２による処理の実行の結果、すなわち自動更新される最新の当該メッセージを表示する画面である。なお、本発明に係るプラント監視制御装置におけるモニタ８ａの表示画面の形態は、これに限定されるものではなく、メニュー画面１１上にメッセージ表示画面をウィンドウ形式で表示してもよい（実施の形態５参照）。
【００１８】
次に、クライアント計算機２のメッセージ出力処理部７の動作について、図３を用いて説明する。なお、図３に示すステップ１１（Ｓ１１）の前段階として、プラントを構成する機器の状態を示すメッセージが発生すると、サーバ計算機１においてメッセージ収集処理部３がメッセージを収集し、メッセージ保存処理部４が記録媒体５ａにメッセージを保存している。まず、Ｓ１１では、クライアント計算機２のオペレータ要求処理部６が受け付けたオペレータからのメッセージ出力要求の情報を読み込む。続いて、ステップ１２（Ｓ１２）で、指定された出力機器８がモニタ８ａであるか否かの判定を行う。
【００１９】
出力機器８がモニタ８ａである場合（Ｙｅｓ）は、ステップ１３（Ｓ１３）に進み、オペレータの要求が更新出力要求であるか否かの判定を行う。更新出力が要求されている場合（Ｙｅｓ）は、ステップ１４（Ｓ１４）に進み、モニタ更新出力処理部７２により最新のメッセージを出力し、ステップ１５（Ｓ１５）で最新のメッセージがモニタ８ａの更新出力表示画面１３に表示される。さらに、ステップ１６（Ｓ１６）において、Ｓ１５で表示されているメッセージ表示画面が他の画面に切り替えられていない場合（Ｎｏ）、再度Ｓ１４に戻り、最新のメッセージを出力することにより、メッセージの自動更新を繰り返す。
【００２０】
一方、Ｓ１６において、Ｓ１５で表示されているメッセージ表示画面が他の画面に切り替えられた場合（Ｙｅｓ）には、メッセージ出力処理を終了する。また、Ｓ１３において、オペレータの要求が更新出力ではなく履歴出力である場合（Ｎｏ）は、ステップ１７（Ｓ１７）に進み、モニタ履歴出力処理部７１により過去に発生したメッセージを出力し、ステップ１８（Ｓ１８）でモニタ８ａの履歴出力表示画面１２に表示した後、メッセージ出力処理を終了する。
【００２１】
また、Ｓ１２で指定された出力機器８がモニタ８ａではない場合（Ｎｏ）、すなわちプリンタ８ｂまたはＵＳＢメモリ８ｃの場合は、ステップ１９（Ｓ１９）に進み、出力機器８がプリンタ８ｂであるか否かの判定を行う。出力機器８がプリンタ８ｂである場合（Ｙｅｓ）は、ステップ２０（Ｓ２０）に進み、プリンタ履歴出力処理部７３により過去に発生したメッセージを出力し、ステップ２１（Ｓ２１）でメッセージをプリンタで印字した後、メッセージ出力処理を終了する。
【００２２】
さらに、Ｓ１９で出力機器８がプリンタ８ｂではない場合（Ｎｏ）、出力機器はＵＳＢメモリ８ｃであるため、ステップ２２（Ｓ２２）に進み、ＵＳＢメモリ履歴出力処理部７４により過去に発生したメッセージを出力し、ステップ２３（Ｓ２３）でメッセージをＵＳＢメモリ８ｃに保存した後、メッセージ出力処理を終了する。
【００２３】
次に、本実施の形態１においてモニタ８ａの表示画面１０に表示されるメニュー画面１１と更新出力表示画面１３について、具体例を挙げて説明する。図４は、メニュー画面の例を示し、図５は、更新出力表示画面の例を示している。
【００２４】
図４に示すように、モニタ８ａのメニュー画面１１ａには、メッセージ種別１４、設備種別１５、および出力機器１６についてそれぞれ複数の項目が、オペレータにより選択可能な形態で設けられている。また、メニュー画面１１ａの左下方には、オペレータが選択可能な更新出力ボタン１７と履歴出力ボタン１８が設けられている。更新出力ボタン１７は、オペレータがモニタ更新出力処理部７２に対して処理の実行を要求するためのボタンである。また、履歴出力ボタン１８は、オペレータがモニタ履歴出力処理部７１に対して処理の実行を要求するためのボタンである。
【００２５】
メニュー画面１１ａにおいて、オペレータが更新出力ボタン１７を選択、実行すると、モニタ８ａの表示画面１０は、メニュー画面１１ａから図５に示す更新出力表示画面１３ａに切り替わり、オペレータからの出力要求に基づく最新のメッセージ１９がリアルタイムに表示される。また、メニュー画面１１ａにおいて履歴出力ボタン１８を選択、実行した場合には、モニタ８ａの表示画面はメニュー画面１１ａから履歴出力表示画面（図示せず）に切り替わり、オペレータからの出力要求に基づく過去に発生したメッセージが表示される。
【００２６】
以上のように、本実施の形態１に係るプラント監視制御装置によれば、クライアント計算機２のメッセージ出力処理部７に、プラントを構成する機器の状態を示すメッセージを自動的に更新し最新の当該メッセージをモニタ８ａの表示画面１０にリアルタイムに表示するモニタ更新出力処理部７２を設けたので、オペレータに負荷をかけることなく最新の当該メッセージを常時表示することができ、プラントの運転に関する最新の情報を迅速に確認することが可能である。
【００２７】
また、オペレータがモニタ８ａのメニュー画面１１ａにおいて更新出力ボタン１７を選択することにより、プラントを構成する機器の状態を示す最新のメッセージが自動更新され、モニタ８ａの表示画面１０にリアルタイムに表示されるので、オペレータが随時あるいは定期的に最新のメッセージを出力要求する操作を行う必要がなくなり、操作性および作業効率が向上する。
【００２８】
実施の形態２．
本発明の実施の形態２に係るプラント監視制御装置の構成とメッセージ出力処理部の主な動作は、上記実施の形態１と同様であるので説明を省略し、以下の説明では図１に示す符号を流用する。図６および図７は、本発明の実施の形態２に係るプラント監視制御装置におけるモニタのメニュー画面を示している。図６および図７において、網掛けを付したボタンはオペレータが選択したボタンを示している。
【００２９】
本実施の形態２に係るプラント監視制御装置は、上記実施の形態１と同様に、出力機器８として、モニタ８ａの他にプリンタ８ｂおよびＵＳＢメモリ８ｃを含んでいる。上記実施の形態１では、オペレータがメニュー画面において「モニタ」以外の出力機器を指定し、且つ更新出力ボタンを選択した場合、メッセージ出力処理部７のモニタ更新出力処理部７２は処理を実行することができない。そこで、本実施の形態２では、オペレータがメニュー画面で出力機器の中から「モニタ」を選択した場合にのみ、更新出力ボタンが選択可能となるようにしたものである。
【００３０】
図６に示す例では、オペレータがメニュー画面１１ｂにおいて、メッセージ種別１４の項目の中から「全項目」を、設備種別１５の項目の中から「全設備」を選択し、さらに出力機器１６の項目の中から「モニタ」を選択している。これにより、更新出力ボタン１７が選択可能となり、これを選択すると更新出力表示画面（図示せず）に切り替わり、最新のメッセージがリアルタイムに表示される。
【００３１】
一方、図７に示す例では、オペレータがメニュー画面１１ｃにおいて、メッセージ種別１４の項目の中から「全項目」を、設備種別１５の項目の中から「全設備」を選択し、さらに出力機器１６の項目の中から「日誌プリンタ」を選択している。このような場合、更新出力ボタン１７は選択不可能となり、履歴出力ボタン１８のみが選択可能となる。従って、オペレータは履歴出力ボタン１８を選択し、過去に発生したメッセージが日誌プリンタに出力される。
【００３２】
本実施の形態２によれば、上記実施の形態１と同様の効果に加え、メニュー画面１１ｂにおいてオペレータが出力機器１６の項目の中から「モニタ」を選択した場合にのみ、更新出力ボタン１７を選択可能とすることにより、オペレータによる誤操作を防止することができ、操作性が向上する。
【００３３】
実施の形態３．
本発明の実施の形態３に係るプラント監視制御装置の構成とメッセージ出力処理部の主な動作は、上記実施の形態１と同様であるので説明を省略し、以下の説明では図１に示す符号を流用する。図８は、本発明の実施の形態３に係るプラント監視制御装置におけるモニタのメニュー画面を示している。図８において、網掛けを付したボタンはオペレータが選択したボタンを示している。
【００３４】
本実施の形態３に係るプラント監視制御装置のモニタ更新出力処理部７２は、図８に示すように、オペレータがメニュー画面１１ｄのメッセージ種別１４、設備種別１５の中から検索指標となる項目を選択し、且つ更新出力ボタン１７を選択すると、その検索指標に合致するメッセージをモニタ８ａの更新出力画面（図９）に表示する。
【００３５】
図８に示す例では、オペレータは、検索指標として、メッセージ種別１４の項目の中から「警報」と「接点状態変化」を選択し、設備種別１５の項目の中から「２軸」を選択している。なお、検索指標の数はこれに限定されるものではなく、１個または複数個選択することができる。さらに、出力機器１６の項目の中から「モニタ」を選択し、且つ更新出力ボタン１７を選択すると、図９に示す更新出力表示画面１３ｄに切り替わる。図９に示す更新出力表示画面１３ｄでは、メニュー画面１１ｄで選択した検索指標に合致する最新のメッセージ１９がリアルタイムに表示される。
【００３６】
本実施の形態３によれば、上記実施の形態１および上記実施の形態２と同様の効果に加え、メニュー画面１１ｄにおいてオペレータが検索指標となる項目を選択することにより、必要なメッセージのみをさらに迅速に確認することができる。また、複数の検索指標を組み合わせることにより、メッセージ相互間の関係性を容易に把握することができ、プラント監視業務の効率が向上する。
【００３７】
実施の形態４．
本発明の実施の形態４に係るプラント監視制御装置の構成とメッセージ出力処理部の主な動作は、上記実施の形態１と同様であるので説明を省略し、以下の説明では図１に示す符号を流用する。図１０は、本発明の実施の形態４に係るプラント監視制御装置におけるモニタの更新出力表示画面を示している。図１０において、網掛けを付したボタン（メッセージ）は、オペレータが選択したボタン（メッセージ）である。
【００３８】
本実施の形態４に係るプラント監視制御装置のモニタ更新出力処理部７２は、モニタ８ａの更新出力表示画面１３ｅに表示されたメッセージ１９の中からオペレータが任意のメッセージを選択すると、そのメッセージに関連するメッセージを個別メッセージ画面（図１１）に表示する機能を有する。図１０に示す例では、更新出力表示画面１３ｅに表示されているメッセージ１９の中から警報メッセージ１９ｅを選択し、個別画面ボタン２０を選択すると、図１１に示す個別メッセージ画面（この例では警報メッセージ画面２１）に切り替わる。警報メッセージ画面２１には、更新出力表示画面１３ｅでオペレータが選択した警報メッセージ１９ｅに関連する警報メッセージ２２が表示される。
【００３９】
本実施の形態４によれば、上記実施の形態１〜上記実施の形態３と同様の効果に加え、オペレータが確認したいメッセージを更新出力表示画面１３ｅで選択することにより、そのメッセージに関連する個別メッセージ画面を容易に表示することができるため、操作性および作業効率がさらに向上する。
【００４０】
実施の形態５．
本発明の実施の形態５に係るプラント監視制御装置の構成とメッセージ出力処理部の主な動作は、上記実施の形態１と同様であるので説明を省略し、以下の説明では図１に示す符号を流用する。図１２は、本発明の実施の形態５に係るプラント監視制御装置におけるモニタのメニュー画面を示している。図１２において、網掛けを付したボタンはオペレータが選択したボタンを示している。
【００４１】
本実施の形態５に係るプラント監視制御装置のモニタ更新出力処理部７２は、図１２に示すように、オペレータがメニュー画面１１ｆのメッセージ種別１４および設備種別１５の中から検索指標となる項目をそれぞれ選択し、且つ更新出力ボタン１７およびウィンドウ表示ボタン２３を選択すると、その検索指標に合致するメッセージをメニュー画面１１ｆ上にウィンドウ形式で表示する。また、メニュー画面１１ｆにおいてオペレータが検索指標となる項目を順次変更すると、それぞれの検索指標に合致するメッセージを、メニュー画面１１ｆ上に複数のウィンドウで表示する。
【００４２】
図１２に示す例では、オペレータは、検索指標として、メッセージ種別１４の項目の中から「警報」を、設備種別１５の項目の中から「２軸」を選択している。さらに出力機器１６として「モニタ」を選択し、且つ更新出力ボタン１７およびウィンドウ表示ボタン２３を選択すると、図１３に示すように、メニュー画面１１ｆ上のウィンドウ２４に、オペレータが選択した検索指標に合致する最新のメッセージ１９がリアルタイムに表示される。
【００４３】
このように、メニュー画面１１ｆを消去せずに最新のメッセージをウィンドウ形式で表示することにより、別の検索指標による最新のメッセージを同時に複数のウィンドウで表示することができる。例えば、図１３に示す状態から、オペレータが別の検索指標によるメッセージを表示しようとする場合、メニュー画面１１ｆにおいてメッセージ種別１４または設備種別１５の項目の中から検索指標となる新たな項目（例えば「自動化」）を選択した後、ウィンドウ表示ボタン２３を選択すると、図１４に示すように、別のウィンドウ２５に、新たな検索指標に合致する最新のメッセージ１９が表示される。この作業を繰り返すことにより、様々な検索指標に基づく最新のメッセージを同時にリアルタイムに表示することができる。
【００４４】
本実施の形態５によれば、上記実施の形態１〜実施の形態４と同様の効果に加え、オペレータが選択した検索指標に合致する最新のメッセージを、メニュー画面１１ｆを消去することなく、メニュー画面１１ｆ上のウィンドウ２４に表示することができるため、操作性および作業効率がさらに向上する。また、複数のウィンドウ２４、２５を同時に表示することができるので、メッセージを相関的に監視することが可能となり、プラント監視業務の効率が向上する。
【産業上の利用可能性】
【００４５】
本発明は、プラントを構成する機器の状態を示す複数種類のメッセージをモニタに出力し、オペレータに通知するプラント監視制御装置として利用することができる。
【符号の説明】
【００４６】
１  サーバ計算機、２  クライアント計算機、３  メッセージ収集処理部、
４  メッセージ保存処理部、５ａ、５ｂ、５ｃ、５ｄ  記憶媒体、
６  オペレータ要求処理部、７  メッセージ出力処理部、８  出力機器、８ａ  モニタ、８ｂ  プリンタ、８ｃ  ＵＳＢメモリ、１０  表示画面、１１  メニュー画面、
１２  履歴出力表示画面、１３  更新出力表示画面、１４  メッセージ種別、
１５  設備種別、１６  出力機器、１７  更新出力ボタン、１８  履歴出力ボタン、
１９、１９ｅ  メッセージ、２０  個別画面ボタン、２１  警報メッセージ画面、
２２  警報メッセージ、２３  ウィンドウ表示ボタン、２４、２５  ウィンドウ、
７１  モニタ履歴出力処理部、７２  モニタ更新出力処理部、
７３  プリンタ履歴出力処理部、７４  ＵＳＢメモリ履歴出力処理部、
１００  メッセージ種別毎の個別画面、１０１  警報メッセージ画面、
１０２  正常復帰メッセージ画面、１０３  自動化メッセージ画面、
１０４  接点状態変化メッセージ画面、１０５  入力不良メッセージ画面、
１０６  オペレータ操作メッセージ画面、１０７  スケジュール計算メッセージ画面。
【図１】
0005444072.tif 000002
【図２】
0005444072.tif 000003
【図３】
0005444072.tif 000004
【図４】
0005444072.tif 000005
【図５】
0005444072.tif 000006
【図６】
0005444072.tif 000007
【図７】
0005444072.tif 000008
【図８】
0005444072.tif 000009
【図９】
0005444072.tif 000010
【図１０】
0005444072.tif 000011
【図１１】
0005444072.tif 000012
【図１２】
0005444072.tif 000013
【図１３】
0005444072.tif 000014
【図１４】
0005444072.tif 000015